(57)【特許請求の範囲】
【請求項１】
光源と走査光学系を画像読取り前にホームポジションに位置決めした後、両者を所定方向へ同一速度で同期させて移動させることにより、所定の読取開始位置から画像読取りを行う画像読取装置における光源と走査光学系との同期タイミングの調整方法であって、
前記光源からの光の光軸の位置を特定可能な第１の基準マークと、
前記走査光学系の光軸の位置を特定可能な第２の基準マークと、をそれぞれ設けておき、
前記光源及び走査光学系をホームポジションへ移動させ、その位置での前記第１及び第２の基準マークの相対的なずれを測定し、該ずれ量に基づいて前記光源及び走査光学系の移動開始タイミングを調整することにより、前記光源からの光の光軸と前記走査光学系の光軸との位置合せを行うことを特徴とする同期タイミングの調整方法。
【請求項２】
光源と光学系とを画像読取り前にホームポジションに位置決めした後、両者を所定方向へ同一速度で同期させて移動させることにより、所定の読取開始位置から画像読取りを行う画像読取装置において、
前記光源を移動させて光源からの光を原稿上に照射する第１の走査移動手段と、
前記光源により照射された原稿からの光を画像読取手段に結像させる光学系を走査移動させる第２の走査移動手段と、
前記光源からの光の光軸の位置を特定可能な第１の基準マークと、
前記光学系の光軸の位置を特定可能な第２の基準マークと、
前記ホームポジションでの前記第１及び第２の基準マークの相対的なずれ量を校正量として読み込む校正量読込み手段と、
該校正量読込み手段によって読み込まれた校正量に基づいて前記第１の走査移動手段と前記第２の走査移動手段の走査移動開始タイミングを設定する校正手段と、
を含むことを特徴とする画像読取装置。
【発明の詳細な説明】
【０００１】
【発明の属する技術分野】
本発明は、光源を移動させながら原稿に光源の光を照射し、該原稿からの光を光源と同期して移動する走査光学系を介して読取る画像読取装置に係り、光源及び走査光学系の移動開始タイミングを調整するための同期タイミングの調整方法及び画像読取装置に関する。
【０００２】
【従来の技術】
画像読取装置では、光源から原稿へ向けて照射した光の反射光をＣＣＤセンサ等の画像読取手段によって読取るものがある。このような画像読取装置で読み取られた画像に応じてレーザービーム等の露光手段によって感光材料ないし感光体を露光することによって、原稿画像に応じた画像が形成される。
【０００３】
このような画像読取装置には、ケーシングの上面に原稿を載置する透明ガラスが設けられ、ケーシングの内部に光源（例えばランプ）が配置され、この光源から原稿へ向けて照射した光の反射光を光学系によって画像読取手段に結像させることにより、原稿に記録されている画像に応じた画像データが読み込まれる。このとき、主走査方向に沿って配置されている光源と共に光学系を副走査方向に沿って移動させて、原稿からの反射光を画像読取手段へ向けて偏向するを副走査方向へ移動させるようにしたものがある。
【０００４】
一方、画像読取装置には、反射原稿のみならず、透過原稿の画像を読取るものがある。透過原稿を読取るためには、透過原稿専用の光源が、光学系の移動に同期して透明ガラスの上方を移動するようにし、透過原稿を透過した透過原稿用光源からの光を、光学系によって画像読取手段へ結像させる。このとき、光学系は、反射原稿と同様に副走査方向へ移動し、この光学系の移動に同期させて透過原稿用の光源を移動させるようにしている。
【０００５】
このような透過原稿用光源装置は、ユーザの要求に応じて取付けられるようになっている。
【０００６】
ところで、画像読取装置の内部の光学系は、透明ガラスの下方からずれた原位置（ホームポジション）に待機した状態から、画像読取りが指示されると、透明ガラスの下方の画像読取り開始位置へ移動し、さらに、透明ガラスの下方を副走査方向に沿って移動する。一方、この画像読取装置に取付けられる透過原稿用光源装置は、光源のホームポジションがが画像読取装置の光学系のホームポジションと一致するように取付けられ、光源と光学系を同期させてホームポジションから同時に同じ速度で移動を開始させることにより、光源と光学系とが一体で移動し、透過原稿に記録されている画像が読み込まれる。
【０００７】
このような光学系と光源の走査時に位置ずれが生じると、画像読取時の光量不足や読取った画像の濃度ムラ等が生じ、原稿に応じた適切な画像を再現することは困難となる。このような画像読取時の光量不足や読取った画像に濃度ムラ等が生じるのを防止するためには、透過原稿用光源装置の光源のホームポジションを画像読取装置の光学系のホームポジションに正確に位置決めして取付ける必要がある。このために、光源を光学系に対して精度良く位置合わせして取付ける必要がある。
【０００８】
しかしながら、光学系は、ケーシングに囲われた装置の内部に設けられており、透過原稿用光源装置は、このケーシングの上面に取付けられるため、光源と光学系のホームポジションを直接合わせることは困難である。
【０００９】
【発明が解決しようとする課題】
本発明は上記事実に鑑みてなされたものであり、透過原稿用光源装置を画像読取装置に取付けるときに、高精度の位置決めをしなくても、画像読取中には光源と光学系を高精度で位置合せしたのと同様に同期して移動させることができる同期タイミングの調整方法及び画像読取装置を提案することを目的とする。
【００１０】
【課題を解決するための手段】
請求項１に係る発明は、光源と走査光学系を画像読取り前にホームポジションに位置決めした後、両者を所定方向へ同一速度で同期させて移動させることにより、所定の読取開始位置から画像読取りを行う画像読取装置における光源と走査光学系との同期タイミングの調整方法であって、前記光源からの光の光軸の位置を特定可能な第１の基準マークと、前記走査光学系の光軸の位置を特定可能な第２の基準マークと、をそれぞれ設けておき、前記光源及び走査光学系をホームポジションへ移動させ、その位置での前記第１及び第２の基準マークの相対的なずれを測定し、該ずれ量に基づいて前記光源及び走査光学系の移動開始タイミングを調整することにより、前記光源からの光の光軸と前記走査光学系の光軸との位置合せを行うことを特徴とする。
【００１１】
この発明によれば、光学系と光源をそれぞれホームポジションから一定速度で走査移動させるときに、それぞれのホームポジションでの第１の基準マークと第２の基準マークの相対的なずれ量を測定し、このずれ量に基づいて光源と光学系の走査移動を開始するタイミングを調整する。この走査移動を開始するタイミングの調整は、このずれ量から光源がホームポジションから読取開始位置までの移動に要する時間と、光学系がホームポジションから読込み開始位置までの移動に要する時間差を算出し、この時間差に基づいて例えば光学系の移動開始のタイミングに対する光源の移動開始のタイミングを調整すれば良い。
【００１２】
これによって、光学系と光源が同期して読取開始位置を通過し、この後は、同期して走査移動することにより、光学系の光軸と光源から照射される光の光軸が正確に一致した状態で走査移動されることになる。
【００１３】
このように光源と光学系の同期タイミングを調整することにより、光源を取付けるときに光源のホームポジションと光学系のホームポジションの高精度の位置合わせが不要となり、例えば、透過原稿用光源装置の取付け時では、第１の基準マークに対する第２の基準マークのずれ量を測定するだけの簡単な作業で良く、光源の取付け作業が極めて容易となる。
【００１４】
ずれ量を判定するための第１の基準マークと第２の基準マークは、任意の方法で設けることができる。例えば透過原稿用光源装置では、光源と一体に移動する光源のケーシングに光源の光軸に応じた所定の位置に第２の基準マークを設け、この透過原稿用光源装置の第２の基準マークに対して、ホームポジションへ移動させた光学系の光軸に応じて第１の基準マークを設ければ良い。
【００１５】
請求項２に係る発明は、光源と光学系とを画像読取り前にホームポジションに位置決めした後、両者を所定方向へ同一速度で同期させて移動させることにより、所定の読取開始位置から画像読取りを行う画像読取装置において、前記光源を移動させて光源からの光を原稿上に照射する第１の走査移動手段と、前記光源により照射された原稿からの光を画像読取手段に結像させる光学系を走査移動させる第２の走査移動手段と、前記光源からの光の光軸の位置を特定可能な第１の基準マークと、前記光学系の光軸の位置を特定可能な第２の基準マークと、前記ホームポジションでの前記第１及び第２の基準マークの相対的なずれ量を校正量として読み込む校正量読込み手段と、該校正量読込み手段によって読み込まれた校正量に基づいて前記第１の走査移動手段と前記第２の走査移動手段の走査移動開始タイミングを設定する校正手段と、を含むことを特徴とする。
【００１６】
この発明によれば、校正量読込み手段によって読み込んだ第１の基準マークに対する第２の基準マークのずれ量に基づいて、校正手段が第１の走査移動手段による光学系の移動開始タイミングに対する第２の走査移動手段による光源の移動開始タイミングを調整して設定する。
【００１７】
このように設定された走査移動の開始タイミングに基づいて光源と光学系の走査移動を開始することにより、光源の光軸と光学系の光軸を高精度で一致させた状態で、光源と光学系を同期させて画像の読込みを行うことができる。
【００１８】
校正量読込み手段は、手作業で測定された第１の基準マークに対する第２の基準マークのずれ量が、数値として入力されるものであっても良い。
【００１９】
また、校正量読込み手段は、第１の基準マーク及び第２の基準マークを光または電気信号としたときには、該光または電気信号を読み込む読込み手段を設け、該読込み手段によって読み込んだ結果に基づいて校正量を設定するものであっても良い。
【００２０】
このような校正は、光源の取付け時及び必要に応じて行うことが好ましいが、定期的に行うことがより好ましい。また、１枚の原稿の画像の読込みを開始するときに行うようにしても良い。
【００２１】
【発明の実施の形態】
図１には、本発明の実施の形態に係る画像読取／記録装置１０の概略構成が示されている。この画像読取／記録装置１０は、本発明を適用した画像読取装置であるスキャナ部ＳＣＮと、画像を記録する出力装置となるプリンタ部ＰＲＴと、で構成されており、スキャナ部ＳＣＮとプリンタ部ＰＲＴが一体でケーシング２００内に収容されている。なお、以下の説明では、スキャナ部ＳＣＮでの画像読取り時の主走査方向を矢印Ｘ、副走査方向を矢印Ｙでそれぞれ示している。
【００２２】
〔プリンタ部ＰＲＴ〕
図１に示されるように、ケーシング２００内には、感光材料１６を収容する感材マガジン１４が配置されている。この感材マガジン１４内には、感光材料１６がロール状に巻き取られており、感光材料１６は、感光面が左方へ向くように感材マガジン１４から引出される。
【００２３】
感材マガジン１４の感光材料引出口の近傍には、ニップローラ１８及びカッタ２０が配置されている。また、カッタ２０の側方からは、複数の搬送ローラ２４、２６、２８、３０、３２、３４が順に配置されている。感光材料１６はニップローラ１８によって挟持されて感材マガジン１４から引き出され、カッタ２０によって所定の長さに切断されると、搬送ローラ２４、２６の間に設けられた露光部２２へ案内搬送される。
【００２４】
露光部２２の図１紙面左側には露光装置３８が設けられている。露光装置３８は、例えば３種のＬＤ（レーザダイオード）、レンズユニット、ポリゴンミラー、ミラーユニット等（何れも図示省略）を備え、コントローラ２０９により制御されながら画像データに基づいてＬＤから露光用の光線を振り子の如く主走査し、露光部２２の所定の位置へ照射して露光部２２を搬送（副走査）される感光材料１６を露光する。なお、露光装置３８としては、例えば主走査方向に沿って多数のＬＥＤ（発光ダイオード）を配置し、１主走査ラインを同時に露光するなどの任意の構成を用いることができる。
【００２５】
露光部２２の上方には、感光材料１６をＵ字状に湾曲させながら搬送するＵターン部４０及び感光材料１６に画像形成用の溶媒を塗布する水塗布部５０が設けられている。露光部２２にて画像露光された感光材料１６は、搬送ローラ２８、３０により挟持搬送されながらＵターン部４０の上側よりの搬送路を通過しつつ水塗布部５０へ送り込まれ、感光面に画像形成用の溶媒が塗布される。なお、本実施の形態では、画像形成用の溶媒として水を用いている。
【００２６】
一方、プリンタ部ＰＲＴの図１紙面左上端部には、受材マガジン１０６が配設されている。この受材マガジン１０６には、幅寸法が感光材料１６より僅かに短く、画像形成面に媒染剤を有する色素固定材料が塗布された受像材料１０８が、受材マガジン１０６から引出されたときに画像形成面が下方へ向くようにロール状に巻き取られて収容されている。
【００２７】
受材マガジン１０６の受像材料引出口の近傍には、ニップローラ１１０及びカッタ１１２が配置されている。また、カッタ１１２の側方からは、搬送ローラ１３２、１３４、１３６、１３８及び図示しないガイド板が配置されている。受像材料１０８は、ニップローラ１１０により挟持されて受材マガジン１０６から引出されると、カッタ１１２によって感光材料１６よりも短い所定の長さに切断され、搬送ローラ１３２〜１３８等によって熱現像転写部１２０へ向けて搬送される。
【００２８】
熱現像転写部１２０には、一対の無端ベルト１２２、１２４が設けられており、無端ベルト１２２、１２４のそれぞれは、複数の巻き掛けローラ１４０に巻き掛けられて、上下方向を長手方向としたループ状となっており、巻き掛けローラ１４０の何れかが回転駆動されることにより無端ベルト１２２、１２４が対となって回転駆動する。
【００２９】
無端ベルト１２２、１２４の一方のループ（図１では紙面右側の無端ベルト１２２）の内方には、無端ベルト１２２、１２４の接触位置に対向するように長手方向が上下方向に沿った加熱板１２６が配置されている。この加熱板１２６は、内部にヒータ（図示省略）が配設されており、このヒータによって表面が加熱されて昇温され、所定の温度に維持される。
【００３０】
感光材料１６は、水塗布部５０を通過すると、搬送経路の最後の搬送ローラ３４によって挟持されて熱現像転写部１２０の一対の無端ベルト１２２、１２４の間へ送り込まれ、受像材料１０８は、この感光材料１６の搬送に同期されて無端ベルト１２２、１２４の間へ送り込まれる。これによって、感光材料１６と受像材料１０８が重ね合わせられて無端ベルト１２２、１２４に挟持される。
【００３１】
なお、受像材料１０８は、感光材料１６よりも幅方向寸法（搬送方向と直交する方向に沿った寸法）及び長手方向寸法（搬送方向に沿った寸法）が何れも小さい寸法となっており、感光材料１６が所定長さ先行した状態で感光材料１６と受像材料１０８が重ね合わされながら無端ベルト１２２、１２４の間へ送り込まれる。これにより、感光材料１６の周縁部は四辺とも受像材料１０８から突出した状態で感光材料１６と受像材料１０８が重ね合わせられて無端ベルト１２２、１２４の間で挟まれる。
【００３２】
感光材料１６と受像材料１０８は、重ね合わせられながら無端ベルト１２２、１２４の間へ送り込まれると、無端ベルト１２２、１２４の回転駆動によって無端ベルト１２２、１２４の間へ引き入れられる。また、無端ベルト１２２、１２４は、感光材料１６と受像材料１０８が完全に収まった時点で一旦回転駆動を停止する。このときに、加熱板１２６の表面から放出される熱によって、無端ベルト１２２、１２４の間に挟持されている感光材料１６と受像材料１０８が加熱される。感光材料１６は、無端ベルト１２２、１２４による挟持搬送時及び搬送停止時に無端ベルト１２２を介して加熱板１２６により加熱されると、露光画像に応じて可動性の色素を放出する。感光材料１６から放出された色素は、受像材料１０８の色素固定層に転写され、これによって、受像材料１０８に画像データに応じた画像が形成される。
【００３３】
一対の無端ベルト１２２、１２４の下方には、剥離爪１２８が配置されている。感光材料１６と受像材料１０８を挟持して回転駆動を停止していた無端ベルト１２２、１２４の駆動が再開され、無端ベルト１２２、１２４の回転駆動によって無端ベルト１２２、１２４の間から感光材料１６と受像材料１０８が送り出されると、剥離爪１２８は、受像材料１０８よりも先に送り出される感光材料１６の先端に係合し、受像材料１０８から感光材料１６を剥離させる。
【００３４】
剥離爪１２８の図１の紙面左方には、感材排出ローラ１４８が配置されており、受像材料１０８から剥離された感光材料１６は、感材排出ローラ１４８によって廃棄感材収容部１５０へ向けて案内搬送される。
【００３５】
廃棄感材収容部１５０は、感光材料１６が巻き付けられるドラム１５２及び一部がドラム１５２に巻き掛けられているベルト１５４が設けられている。また、ベルト１５４は、複数のローラ１５６の間に巻き掛けられており、これらのローラ１５６の回転によりベルト１５４及びドラム１５２が回転される。廃棄感材収容部１５０へ搬送された感光材料１６は、ドラム１５２とベルト１５４の間に送り込まれ、ドラム１５２の周囲に巻き付けられて集積される。
【００３６】
一方、無端ベルト１２２、１２４の下方から図１の紙面左方へ向けて受材排出ローラ１６２、１６４、１６６、１６８、１７０が順に配設されており、感光材料１６が剥離された受像材料１０８は、受材排出ローラ１６２〜１７０によって搬送され、ケーシング２００から突出したトレイ１７２へ排出される。
【００３７】
このように、画像読取／記録装置１０のプリント部ＰＲＴでは、スキャナ部ＳＣＮ等で読み込まれた画像データに応じて感光材料１８を露光し、次に、感光材料１６と受像材料１０８を重ね合わせ、露光によって感光材料１６に記録した画像を受像材料１０８に転写して出力する。
【００３８】
〔スキャナ部ＳＣＮ〕
図１及び図２に示されるように、ケーシング２００の上面中央部には、矩形の開口部が設けられており、この開口部内に透明ガラスとなっているプラテンガラス２０２が嵌め込まれている。画像が読み取られる原稿は、このプラテンガラス２０２上に画像記録面が下方へ向けられた状態で載置される。
【００３９】
ケーシング２００の上面には、後述する透過原稿用光源装置６０がプラテンガラス２０２の周縁を略Ｌ字状に囲うように取付けられるようになっている。なお、反射原稿を読み取るときには、プラテンガラス２０２を覆うように配置される押さえカバー２０４によって反射原稿をプラテンガラス２０２との間で挟んで保持するようになっている。
【００４０】
この押さえカバー２０４は、透過原稿用光源装置６０を取付けたときに、副走査方向に沿うケーシング６８に形成されている挿通孔２３６へ、押さえカバー２０４の脚２３２を挿入して取付けられる。これによって、押さえカバー２０４は、脚２３２の近傍のヒンジ２０６によって、図１の紙面奥側の一辺に沿った軸を中心に、プラテンガラス２０２の上面を覆う位置と、プラテンガラス２０２の上面から退避した位置の間を回動される。
【００４１】
図２に示されるように、ケーシング２００の上面手前側には、操作／表示パネル２３８（詳細な図示は省略）が設けられており、この操作／表示パネル２３８のキー操作により画像読取／記録装置１０で実行される各種の機能の指示され、また、指示状態や動作状態が表示される。また、この操作／表示パネル２３８は、校正量読込み手段を構成しており、この操作／表示パネル２３８のキー操作によって、透過原稿用光源装置６０を取付けたときのずれ量が入力される。
【００４２】
図１に示されるように、ケーシング２００の内方には、走査部２０８を制御すると共に、プリント部ＰＲＴ（すなわち画像読取／記録装置１０）を制御するコントローラ２０９が配置されている。
【００４３】
走査部２０８は、原稿画像の幅方向（図１の紙面表裏方向、以下で説明する画像読取り時の主走査方向）に沿って延出されたハロゲンランプ及びリフレクタを備えた光源２１０、この光源２１０と共に原稿画像の幅方向に沿って延出された第１のミラー２１２が組み込まれた第１のキャリッジ２１４、第２のミラー２１６及び第３のミラー２１８が組み込まれた第２のキャリッジ２２０及び、絞り２２２、色調整フィルタ及びＮＤフィルタ等で４枚構成されるフィルタ群２２４、結像のためのレンズ２２６等が設けられた固定ユニット２２８を備えており、第１のキャリッジ２１４、第２のキャリッジ２２０及び固定ユニット２２８によって、画像を読み込むための光学系２３４が形成されている。
【００４４】
第１のキャリッジ２１４は、光源２１０の光をプラテンガラス２０２上に載置された原稿へ向けて照射する。光源２１０から照射された光は、プラテンガラス２０２上に載置された原稿によって第１のミラー２１２へ向けて反射され、第１のミラー２１２は、この光を第２のキャリッジ２２０の第２のミラー２１６へ向けて９０°偏向する。
【００４５】
第２のキャリッジ２２０には、第２のミラー２１６の反射面が前記した第１のミラー２１２の反射面と対向しかつ平行な状態で配置され、第３のミラー２１８が反射面を第２のミラー２１６に対向してかつ平行な状態で配置されている。第１のミラー２１２で偏向された光は、第２のミラー２１６によって第３のミラー２１８へ向けて９０°偏向し、さらに、第３のミラー２１８によって偏向されると、固定ユニット２２８を経てＣＣＤラインセンサ２３０の受光部へと至る。このとき、固定ユニット２２８では、絞り２２２やフィルタ群２２４によって光量の調整、各色のバランス調整を行い、レンズ２２６によってＣＣＤラインセンサ２３０上の受光部に原稿画像を結像する。
【００４６】
第１のキャリッジ２１４及び第２のキャリッジ２２０は、図示しない駆動手段の駆動力によってプラテンガラス２０２の下方で副走査方向に沿って往復移動する。このとき、原稿の光源２１０の光の照射位置（原稿面上の反射位置）からＣＣＤラインセンサ２３０の受光部までの光路長が一定に維持されながら移動される。すなわち、駆動手段は、第２のキャリッジ２２０が第１のキャリッジ２１４の移動速度の１／２の移動速度となるように第１のキャリッジ２１４と第２のキャリッジ２２０を同一方向へ移動させるようになっている。
【００４７】
走査部２０８では、第１及び第２のキャリッジ２１４、２２０の１往復移動が１画像分の走査（往路移動時に画像読取り）としており、第１及び第２のキャリッジ２１４、２２０の往復移動によってプラテンガラス２０２上の原稿の画像に応じた画像データを読込む。なお、走査部２０８では、透過原稿用光源装置６０を用いるときには、光源２１０を点灯させずに第１及び第２のキャリッジ２１４、２２０を走査移動させる。
【００４８】
画像読取手段を構成するＣＣＤラインセンサ２３０の受光部は、ＲＧＢの各色毎に独立して受光量を検出する３本のライン（Ｒライン、Ｇライン及びＢライン）によって構成されている。また、それぞれのラインに対応して３ライン分の液晶シャッタが配設されており、ＣＣＤラインセンサ２３０における原稿画像に基づく光の受光時に低濃度部分の光量、すなわち光量が多い部分の光量が制限され、ＣＣＤラインセンサ２３０のダイナミックレンジの幅狭が補償されるようにしている。
【００４９】
スキャン部ＳＣＮでは、プレスキャンと、メインスキャンの２回の走査（２往復）を行い、プレスキャンで原稿画像の濃度分布を把握して、最大濃度が確実に読みとることができるダイナミックレンジとなるようにＣＣＤラインセンサ２３０を調整し、メインスキャンを行うときにプレスキャンで得られた画像の濃度分布から予め定めた濃度しきい値（例えば最大の濃度値Ｄ＝３〜３．３であるのに対して、Ｄ＝２．  ０〜２．３程度）よりも高い濃度値となる画素を受光するときに液晶シャッタによって透過率を下げて読み取る。
【００５０】
走査部２０８では、ＣＣＤラインセンサ２３０によって読取った画像データをコントローラ２０９に記憶すると共に、例えば外部接続されたパソコン等へ出力し、パソコン内のＲＡＭメモリやハードディスク等の記憶手段に記憶させることができる。
【００５１】
ところで、画像読取／記録装置１０には、透過原稿に記録された画像を読み取るための透過原稿用光源装置６０が取付けられるようになっている。なお、透過原稿用光源装置としては、スキャナ部ＳＣＮ内の光学系２３４に同期させて光源を副走査方向に沿って移動させる任意の構成のものを用いることができ、以下では、その一例を説明する。
【００５２】
図２乃至図５に示されるように、透過光源用光源装置６０は、光源部６４と光源部６４を副走査方向に沿って移動させる駆動部６６によって構成されている。駆動部６６は、長手方向が原稿の画像を読取るときの副走査方向に沿って配置される略矩形箱体形状のケーシング６８内に収容されている。透過原稿用光源装置６０は、ケーシング６８の長手方向を副走査方向に沿わせて、プラテンガラス２０２に隣接した所定の位置に取付けられる。
【００５３】
なお、図２に示されるように、駆動部６６を収容するケーシング６８には、押さえカバー２０４の脚２３２に対応する所定の位置に挿通孔２３６が形成されている。これにより、透過原稿用光源装置６０を取り付けた状態でも、押さえカバー２０４をそのまま取り付けることができ、押さえカバー２０４を用いて反射原稿に記録されている画像を読み取ることができるようになっている。
【００５４】
透過原稿を読み取るとき、すなわち、透過原稿用光源装置６０を使用するときには、押さえカバー２０４を図１の紙面裏側へ向けて回動させて、押さえカバー２０４がプラテンガラス２０２上を移動する光源部６４と干渉しないようにされる。
【００５５】
図３に示されるように、光源部６４は、長手方向がプラテンガラス２０２に載置されて画像が読込まれる原稿の主走査方向に沿った略矩形箱体形状のケーシング７０を備えている。このケーシング７０は、プラテンガラス２０２に対向する下方側の面が開放されており、内部に駆動部６６のケーシング６８内から突設されたブラケット７２が配置されている。このブラケット７２の駆動部６８と反対側の端部には、ローラ７４が回転自在に取り付けられている。すなわち、光源部６４は、ブラケット７２の一端が駆動部６６に支持され、他端がローラ７４を介してケーシング２００上に移動可能に支持される。
【００５６】
一方、ブラケット７２には、光源として長手方向が主走査方向に沿って配置されたハロゲンランプ（以下単に「ランプ７６」と言う）及びリフレクタ７８が取り付けられており、ランプ７６からプラテンガラス２０２へ略垂直に光を照射するようになっている。また、ケーシング７０の内部には、ランプ７６の発熱による温度上昇を抑えるための複数のファン８０が取り付けられている。
【００５７】
透過原稿用光源装置６０は、走査部２０８の第１のキャリッジ２１４の移動に同期させて光源部６４を移動させることにより、ランプ７６から照射された光が、プラテンガラス２０２上に載置された透過原稿を透過して、第１のキャリッジ２１４の第１のミラー２１２へ至るようになっている。これによって、透過原稿を透過した光が反射原稿によって反射した光と同様にＣＣＤラインセンサ２３０へ至り、透過原稿の画像が読込まれる。
【００５８】
図４に示されるように、駆動部６６は、移動機構８２と、この移動機構８２を駆動する駆動機構８４とを備えている。図３及び図４に示されるように、光源部６６の移動機構８２は、スキャナＳＣＮの副走査方向（図３の紙面表裏方向）に沿ってガイドシャフト８８が配置されている。また、図４に示されるように、光源部６４のブラケット７２は、駆動部６６内の端部が略Ｌ字状に屈曲された屈曲部７２Ａが形成されている。
【００５９】
図３に示されるように、ブラケット７２には、屈曲部７２Ａにガイドシャフト８８に対応してスライド軸受９０が取り付けられており、このスライド軸受９０にガイドシャフト８８が挿通されている。これによって、光源部６４がスキャナ部ＳＣＮの副走査方向に沿って移動可能に支持されている。
【００６０】
図３及び図４に示されるように、移動機構８２には、駆動機構８４と反対側の端部にプーリ９２が回転自在に取り付けられている。このプーリ９２にはワイヤ９４が巻き掛けられている。
【００６１】
図４に示されるように、駆動機構８４は、ステッピングモータ（以下「モータ９６」と言う）及びワイヤドラム９８を備えている。モータ９６の駆動軸９６Ａには、ギア２４０が取り付けられており、ワイヤドラム９８には、ギア２４２が取り付けられている。また、ギヤ２４０、２４２の間には、同軸的に配置された小径ギアと大径ギアが一体に回転するギア２４４が配置されている、ギア２４４の小径ギアはギア２４２と噛合しており、またギア２４４の大径ギアは、ギア２４０と噛合されている。これによって、モータ９６が回転がワイヤドラム９８に減速して伝達され、ワイヤドラム９８が回転される。
【００６２】
ワイヤドラム９８には、ワイヤ９４が複数回巻き掛けられ、このワイヤ９４の一端側がプーリ９２に巻き掛けられている。また、ブラケット７２には、屈曲部７２Ａにワイヤブラケット２４６が取り付けられており、このワイヤブラケット２４６には、ワイヤドラム９８に巻き掛けられているワイヤ９４のプーリ９２と反対側の端部が係止されている。また、プーリ９２に巻き掛けられているワイヤ９４のワイヤドラム９８と反対側の端部は、コイルばね２４８を介してブラケット２４６に取り付けられている。ワイヤ９４は、このコイルばね２４８によって一定の張力が付与されている。
【００６３】
ワイヤ９４は、ワイヤドラム９８が回転されることにより、一方側がワイヤドラム９４に巻け取られながら、他方側がワイヤドラム９８から送り出される。このワイヤ９４のワイヤドラム９８への巻き取り及び送り出しによってワイヤ９４の両端が連結されているワイヤブラケット２４６と共にブラケット７２が、ガイドシャフト８８に案内されながら副走査方向に沿って移動される。
【００６４】
光源部６４は、モータ９６によって駆動される移動機構８２によって所定の速度で正確に移動される。なお、図２に示されるように、ケーシング６８には、プラテンガラス２０２側の側面に矩形孔６８Ａが形成されており、ケーシング６８内から突設されているブラケット７２は、この矩形孔６８Ａ内を移動するようになっている。
【００６５】
一方、図３及び図４に示されるように、駆動部６６には、断面形状が略コ字状のガイドレール２５０がガイドシャフト８８と平行に配置されている。このガイドレール２５０内には、プーリ２５２、２５４が対で配置されている。プーリ２５２、２５４は、長尺矩形形状の支持枠２５６にそれぞれ回転自在に取り付けられており、これによって、プーリ２５２、２５４の間隔（回転軸の間隔）が一定に保持されている。なお、ガイドレール２５０の両端は、外方へ向けて折曲されており、支持枠２５６は、下端部が折曲されたガイドレール２５０の両端を包むように内方側へ折曲されており、これによって、支持枠２５６のガイドレール２５０からの離脱が防止されると共に、ガイドレール２５０に沿って移動可能となっている。
【００６６】
図４に示されるように、ブラケット７２には、屈曲部７２Ａに隣接してケーブル固定部２５８が取り付けられている。このケーブル固定部２５８には、２本のケーブル２６０、２６２がそれぞれ固定されて取り付けられている。これらのケーブル２６０、２６２は、一旦、ケーブル固定部２５８に固定された後、光源部６４へ引出されており、光源部６４のランプ７６及びファン８０に接続されている。光源部６４のランプ７６及びファン８０は、このケーブル２６０、２６２によって走査部２０８のコントローラ２０９から電力が供給される。
【００６７】
ガイドレール２５０の底部には、所定の位置にケーブル挿通孔２６４が形成されている。一方のケーブル２６０は、ケーブル挿通孔２６４から引出された後、プーリ２５２に巻き掛けられてケーブル固定部２５８に固定され、他方のケーブル２６２は、ケーブル挿通孔２６４から引出されて、プーリ２５４に巻き掛けられた後にケーブル固定部２５８に固定されている。また、それぞれのケーブル２６０、２６２は、ケーブル挿通孔２６４内で固定され、ケーブル挿通孔２６４から引出されている長さが一定に保持されている。
【００６８】
したがって、図５に示されるように、ブラケット７２と一体にケーブル固定部２５８が副走査方向に沿って往復移動するときの往路ではケーブル２６０がプーリ２５２を引いて往路方向へ移動させると、支持枠２５６と共にプーリ２５４も一体で移動する。また、復路では、逆にケーブル２６２がプーリ２５４を引いて支持枠２５６と共にプーリ２５２を移動させる。すなわち、ブラケット７２の移動に伴って、ケーブル２６０、２６２のそれぞれは、プーリ２５２、２５４への巻き掛け位置を変更しながら支持枠２５６を追従して移動させる。
【００６９】
ところで、図６（Ａ）に示されるように、光源部６４のケーシング７０には、駆動部６６と反対側の端部に第２の基準マークとして指針２７０が設けられている。この指針２７０は、光源部６４のランプ７６からプラテンガラス２０２へ向けて照射する光の光軸に基づいて設けられている。したがって、光源部３４が走査移動前（待機位置）であるホームポジションＨＰにあるときに、この指針２７０の指す位置が光源部６４（ランプ７６）のホームポジションＨＰにおける光軸ＰＢ  となっている。
【００７０】
すなわち、図７に示されるように、指針２７０は、ケーシング７０内のランプ７６の光軸ＰＢ  に合わせて設けられており、この指針２７０の指す位置からランプ７６の光軸ＰＢ  を正確に判断することができるようになっている。
【００７１】
一方、図６（Ａ）に示されるように、ケーシング２００には、第１の基準マークとして校正目盛２７２が記されている。この校正目盛２７２は、光学系２３４の第１のミラー２１２が待機位置（走査移動前の位置）にあるときの光学系２３４の光軸ＰＡ  に対応しており、この第１のミラー２１２の待機位置が、光学系２３４のホームポジションＨＰ０  となっている。この光学系２３４の光軸ＰＡ  に照射された光が、第１のミラー２１２、第２のミラー２１６及び第３のミラー２１８によって順に偏向されてＣＣＤラインセンサ２３０へ至る。
【００７２】
図６（Ｂ）に示されるように、校正目盛２７２の中心にある目盛「０」が、光学系２３４のホームポジションＨＰ０  における光軸ＰＡ  に対応しており、仮に、光源部６４がホームポジションＨＰに移動したときに、光源部６４の指針２７０の先端が校正目盛２７２の目盛「０」に一致した状態では、光学系２３４の光軸ＰＡ  と透過原稿用光源装置６０のランプ７６の光軸ＰＢ  が一致した状態となっている。
【００７３】
校正目盛２７２には、ＨＰ０  （目盛「０」）を挟んで「＋」側と「−」側のそれぞれに、所定の間隔で目盛が形成されている。この目盛によって、光学系２３４のホームポジションＨＰ０  に対する光源部６４のホームポジションＨＰの相対位置のずれを判断できるようになっている。すなわち、図６（Ｂ）に示すように、指針２７０の先端が校正目盛２７２の指す位置から光学系２３４の光軸ＰＡ  に対する光源部６４の光軸ＰＢ  のずれ量を読取ることができる。
【００７４】
なお、図７に示されるように、本実施の形態では、「−」側が光源部６４のホームポジションＨＰから画像読取り開始位置ＳＰの距離Ｘが、光学系２３４のホームポジションＨＰ０  から読取開始位置ＳＰまでの距離Ｘ０  より大きいことを示している。
【００７５】
このずれ量ｘは、校正量として操作／表示パネル２３８のキー操作によってコントローラ２０９へ入力される。
【００７６】
図８に示されるように、コントローラ２０９には、モータ制御部２７４が設けられている。このモータ制御部２７４には、光学系２３４を副走査方向に沿って駆動するためのステッピングモータ（以下「モータ２７６」と言う）と共に、透過原稿用光源装置６０のモータ９６が接続されている。
【００７７】
図７に示されるように、光学系２３４は、モータ２７６が駆動されることにより、第１の反射ミラー２１２が取付けられている第１のキャリッジ２１４がホームポジションＨＰ０  から一定の走査速度ｖで副走査方向に沿って移動を開始し、画像読取り開始位置ＳＰを経て、走査終了位置ＥＰへ至る。また、モータ制御部２７４は、第１のキャリッジ２１４が走査終了位置ＥＰに達すると、モータ２７６を逆転駆動する。これによって、第１のキャリッジ２１４がホームポジションＨＰ０  に戻され、１往復の副走査が終了する。
【００７８】
一方、透過原稿用光源装置６０は、モータ制御部２７４によってモータ９６が駆動されることにより、光源部６４がホームポジションＨＰから一定の走査速度ｖで副走査移動を開始し、読取開始位置ＳＰを経て走査終了位置ＥＰへ至り、走査終了位置ＥＰからホームポジションＨＰへ戻される。なお、図７には、ホームポジションＨＰ、読取開始位置ＳＰ及び走査終了位置ＥＰのそれぞれにおける光源部６４の光軸ＰＢ  と、ホームポジションＨＰ０  、読取開始位置ＳＰ及び走査終了位置ＥＰのそれぞれにおける光学系２３４の光軸ＰＡ  を示している。
【００７９】
このモータ制御部２７４には、差動手段２７８が設けられている。この差動手段２７８は、走査／表示パネル２３６から光学系２３４のホームポジションＨＰ０  に対する光源部６４のホームポジションＨＰのずれ量が校正量として入力されると、入力された校正量に基づいて、モータ９６、２７６の動作開始タイミング、すなわち、光源部６４の移動開始タイミングと光学系２３４（第１のキャリッジ２１４）の移動開始タイミングをずらすようになっている。
【００８０】
このようなモータ９６、２７６の動作タイミングの調整は、入力された校正量が「−ｘ」であったときには、光源部６４を時間ｔ（ｔ＝ｘ／ｖ；ただしｘを距離としたとき）だけ早く始動させる。すなわち、透過原稿用光源装置６０のモータ９６が先に始動し、モータ９６が始動してから時間ｔだけ経過した後に、モータ２７６を始動させる。これにより、光源部６４が光学系２３４のホームポジションＨＰ０  を通過するときに、光学系２３４の走査移動が開始され、光学系２３４のホームポジションＨＰ０  からは、光学系２３４（第１のキャリッジ２１４）と光源部６４が一体で移動し、画像読取り開始位置ＳＰを通過するときには、光源部６４の光軸ＰＢ  と光学系２３４の光軸ＰＡ  が一致して、光源部６４と光学系２３４が同期して走査終了位置ＥＰまで移動するようになっている。
【００８１】
次に本実施の形態の作用を説明する。
画像読取／記録装置１０には、透過原稿に記録された画像を読取るための透過原稿用光源装置６０が取付け可能となっている。この透過原稿用光源装置６０は、プラテンガラス２０２の上方から透過原稿へ向けて画像読取り用の光を照射する光源部６４と、この光源部６４を副走査方向に沿って走査移動させる駆動部６６によって構成されている。透過原稿用光源装置６０は、駆動部６６をケーシング２００上のプラテンガラス２０２に隣接した所定の固定することにより取付けられる。
【００８２】
ところで、透過原稿用光源装置６０を取付けたときには、光源部６４が光学系２３４へ正確に位置合わせされた状態で走査移動するように調整が行われる。透過原稿用光源装置６０は、画像読取／記録装置１０に取付けられると、光源部６４が副走査方向の一端側のホームポジションＨＰである待機位置に位置するように移動される。
【００８３】
一方、ケーシング２００には、上面にホームポジションＨＰ０  での光学系２３４の光軸ＰＡ  を示す構成目盛２７２が記されており、光源部６４のケーシング７０には、この校正目盛２７２に対応して光源部６４内のランプ７６の光軸ＰＢ  を示す指針２７０が取付けられている。したがって、指針２７０と校正目盛２７２から光学系２３４のホームポジションＨＰ０  での光軸ＰＡ  に対する光源部６４のホームポジションＨＰでの光軸ＰＢ  のずれ量ｘを読取ることができる。
【００８４】
画像読取／記録装置１０では、透過原稿用光源装置６０を取付けたとき、光学系２３４のホームポジションＨＰ０  での光軸ＰＡ  に対する光源部６４のホームポジションＨＰでの光軸ＰＢ  のずれ量が校正目盛２７２と指針２７０から読み取られる。読み取られたずれ量ｘは、光学系２３４と光源部６４を同期させるための校正量として操作／表示パネル２３８のキー操作によって走査部２０８のコントローラ２０９に入力される。
【００８５】
コントローラ２０９では、入力された校正量に基づいて光学系２３４の走査移動を開始するタイミングに対する光源部６４の走査移動を開始のタイミングを設定する。画像読取／記録装置１０は、透過原稿を読取るときに、この設定されタイミングに基づいて光源部６４と光学系２３４の走査移動を開始する。
【００８６】
すなわち、透過原稿用光源装置６０が取付けられた画像読取／記録装置１０は、プラテンガラス２０２上に透過原稿が載置された状態で、図示しないスタートスイッチが操作されると、スキャナ部ＳＣＮによる画像の読込みを開始する。走査部２０８では、モータ１７６が駆動されて光学系２３４の第１のキャリッジ２１４が走査速度ｖでホームポジションＨＰ０  から走査終了位置ＥＰへ向けて走査移動を開始する。なお、光学系２３４の第２のキャリッジ２２０は、第１のキャリッジの走査移動に合わせて移動される。
【００８７】
一方、透過原稿用光源装置６０では、コントローラ２０９からの信号によってランプ７６を点灯させると共に、モータ９６の駆動を開始する。モータ９６が所定の速度で駆動されると、光源部６４が副走査移動を開始し、この光源部６４がプラテンガラス２０２上の透過原稿の上方に達することにより、光源部６４のランプ７６から透過原稿へ光が照射される。
【００８８】
この光は、透過原稿に記録されている画像に応じて透過原稿及びプラテンガラス２０２を透過して、光学系２３４の第１のキャリッジ２１４に設けられている第１のミラー２１２へ至る。第１のミラーに至った光は、第１のミラー２１２、第２のミラー２１６及び第３のミラー２１８によって順に偏向されてＣＣＤラインセンサ２３０に達し、透過原稿の画像が読込まれる。
【００８９】
このとき、光源部６４を走査移動させるモータ９６は、予め入力されている校正量に基づいて作動される。すなわち、コントローラ２０９は校正量が入力されると、この校正量に基づいてモータ９６とモータ２７６を作動させるときのタイミングを設定する。
【００９０】
例えば、光源部６４のホームポジションＨＰでの光軸ＰＢ  が光学系２３４のホームポジションＨＰ０  での光軸ＰＡ  と一致しているときには、校正量が「０」となり、モータ９６とモータ２７６は同時に作動する。
【００９１】
一方、光源部６４のホームポジションＨＰでの光軸ＰＢ  が光学系２３４のホームポジションＨＰ０  での光軸ＰＡ  より画像読取り開始位置ＳＰから離れているときには、この離れている量が校正量となり、モータ９６が先に作動して、光源部６４の光軸ＰＢ  が光学系２３４のホームポジションＨＰ０  での光軸ＰＡ  と一致するタイミングで、モータ２７６を作動させるようにする。
【００９２】
また、光源部６４のホームポジションＨＰでの光軸ＰＢ  が光学系２３４のホームポジションＨＰ０  での光軸ＰＡ  より読取開始位置ＳＰに近いときには、光学系２３４（第１のミラー２１２）の光軸ＰＡ  が光源部６４のホームポジションＨＰでの光軸ＰＢ  に達したときに光源部６４が走査移動を開始するようにモータ９６の作動を遅らせる。
【００９３】
このように、光学系２３４のホームポジションＨＰ０  での光軸ＰＡ  に対する光源部６４のホームポジションＨＰでの光軸ＰＢ  のずれ量に基づいて、光学系２３４と光源部６４の走査移動を開始するタイミングを調整することにより、読取開始位置ＳＰに達したときには、光源部６４の光軸ＰＢ  と光学系２３４の光軸ＰＡ  が一致されて、光源部６４と光学系２３４が同期される。したがって、透過原稿の画像が適切にＣＣＤラインセンサ２３０によって読み込まれる。
【００９４】
したがって、画像読取／記録装置１０では、透過原稿用光源装置６０を用いて透過原稿に応じた適切な画像データを読込むことができ、この画像データに基づいて透過原稿に応じた高品質の画像を受像材料１０８に形成することができる。また、透過原稿の画像を読み込むときに光源部６４の光軸ＰＢ  と光学系２３４の光軸ＰＡ  を正確に一致させるため、透過原稿用光源装置６０を画像読取／記録装置１０へ取付けるときに、光源部６４を高精度に位置合わせする煩雑な調整作業が不要となり、透過原稿用光源装置６０の取付けが容易となっている。
【００９５】
なお、本実施の形態は本発明の構成を限定するものではない。例えば、本実施の形態では、ケーシング２００に第１の基準マークとして記した校正目盛２７２とケーシング７０に第２の基準マークとして設けた指針２７０によってずれ量を測定するようにしたが、第１及び第２の基準マークの構成は、これに限定するものではなく、種々の構成が適用可能である。
【００９６】
例えば、ホームポジションＨＰ０  にある光学系２３４の光軸ＰＡ  （第１のミラー２１２の中心位置）を示す矢印と、この矢印に対応して光源部６４のランプ７６の光軸ＰＢ  を示す矢印を第１及び第２の基準マークとして設け、光源部６４をホームポジションＨＰへ配置したときの両矢印の間隔をメジャー等の測定器具を用いて測定し、この測定結果を校正量として用いてもよい。
【００９７】
また、ケーシング２００の内部に光学系２３４のホームポジションＨＰ０  での光軸ＰＡ  を示すマークを設けると共に、ケーシング７０に光源部６４の光軸ＰＢ  に合わせた校正目盛を記した透明ガラスを取付け、ケーシング７０の内部に設けた反射ミラーによって、透明ガラス上の校正目盛に光学系２３４の光軸ＰＡ  のマークを重ねるようにしても良い。
【００９８】
さらに、ＬＥＤ等の発光手段によって、光源部６４のホームポジションＨＰでの光軸ＰＢ  を示すスポット光と、光学系２３４のホームポジションＨＰ０  での光軸ＰＡ  を示すスポット光を所定の位置に照射し、これらのスポット光の間隔を目視（測定器具を用いた測定）または、受光手段によって受光して、ずれ量を求めるようにしても良い。受光手段によって受光する場合、画像読取／記録装置１０で自動的に校正を行うことができる。
【００９９】
また、第１及び第２の基準マークは、光学系の光軸と光源の光軸のホームポジションでの相対的なずれ量が明確に判断できるものであれば良い。
【０１００】
なお、本実施の形態に適用した画像読取／記録装置１０及び透過原稿用光源装置６０は、本発明の一適用例であり、本発明の構成を限定するものでなく、本発明は、光源と光学系を別々の駆動手段によって駆動される種々の構成の画像読取装置に適用することができる。
【０１０１】
【発明の効果】
以上説明した如く、本発明によれば、光源と光学系の光軸のホームポジションにおけるずれ量に基づいて光源の走査移動を開始するタイミングを調整することにより、画像読取位置を通過するときには、光源部と光学系の光軸が正確に一致するようにしているので、透過原稿の画像を適切に読み込むことができる。また、本発明にでは、校正量を入力することにより透過原稿の画像を読み込むときの光源と光学系の光軸の正確な位置合わせがなされるので、光源を取付けるときに、光源の光軸を光学系の光軸に高精度で位置合わせする必要がなく、透過原稿用光源装置を取付けるときの作業が容易となる優れた効果が得られる。
【図面の簡単な説明】
【図１】本実施の形態に適用した画像読取／記録装置を示す概略構成図である。
【図２】画像読取／記録装置のケーシングの上面に透過原稿用光源装置を取付けた状態を示す概略斜視図である。
【図３】透過原稿用光源装置の副走査方向側から見た概略構成図である。
【図４】透過原稿用光源装置の駆動部の概略構成を示す要部斜視図である。
【図５】移動機構のケーブルとプーリの移動を示す概略図である。
【図６】（Ａ）は指針が設けられた光源部と校正目盛が設けられたケーシングを示す要部斜視図、（Ｂ）は図６（Ａ）の指針と校正目盛を示す概略図である。
【図７】光源部と光学系の副走査方向への移動を示す主走査方向側から見た概略図である。
【図８】モータの制御系統を示す概略ブロック図である。
【符号の説明】
１０    画像読取／記録装置（画像形成装置）
６０    透過原稿用光源装置
６４    光源部
７６    ランプ
９６    モータ（第２の走査移動手段）
２００    ケーシング
２０２    プラテンガラス
２０８    走査部
２０８    コントローラ（校正手段）
２１２    第１のミラー
２１４    第１のキャリッジ
２３０    ＣＣＤラインセンサ
２３４    光学系
２３８    操作／表示パネル（校正量読込み手段）
２７０    指針（第２の基準マーク）
２７２    校正目盛（第１の基準マーク）
２７４    モータ制御部
２７６    モータ（第１の走査移動手段）
２７８    作動手段（校正手段）
ＨＰ、ＨＰ０          ホームポジション
ＰＡ  、ＰＢ          光軸
【図１】
0003618522.tif 000002
【図２】
0003618522.tif 000003
【図３】
0003618522.tif 000004
【図４】
0003618522.tif 000005
【図５】
0003618522.tif 000006
【図６】
0003618522.tif 000007
【図７】
0003618522.tif 000008
【図８】
0003618522.tif 000009